(57)【特許請求の範囲】
【請求項１】
少なくとも１つのデータ信号の任意のデータレートのディジタルデータを符号化し、符号化したデータをディジタル画像信号と一緒に伝送するための符号化方法において、前記少なくとも1つのデータ信号のデータビットのエッジの少なくとも一部分を検出するステップと、
前記データビットのエッジの少なくとも一部分の検出時に、離散時間発振器の出力信号に依存して、メモリに蓄積されている合成的に発生させた振幅値を読み出すことによって、前記データ信号のデータビットのエッジの前記検出した少なくとも一部分を符号化されたデータビットに対して予め定められた帯域幅制限内にあるエッジを構成する合成的に発生させた振幅値と置き換えるステップとを具えることを特徴とする符号化方法。
【請求項２】
データビットのエッジを正弦発振波の少なくとも一部分を構成する振幅値と置き換え、これらの振幅値からなるエッジを予定の一定のクロックラスタで挿入することを特徴とする請求項１記載の符号化方法。
【請求項３】
データ信号全体を合成的に発生させた振幅値と置き換えることを特徴とする請求項１又は２記載の符号化方法。
【請求項４】
少なくとも１つのデータ信号の任意のデータレートのデータを符号化し、符号化したデータをディジタル画像信号と一緒に伝送するためのディジタルデータエンコーダにおいて、
前記少なくとも1つのデータ信号のデータビットのエッジの少なくとも一部分を検出する検出手段と、
合成的に発生させた振幅値を蓄積したメモリと、
前記検出手段及び前記メモリに結合された離散時間発振器とを具え、前記データビットのエッジの少なくとも一部分の検出時に、前記離散時間発振器の出力信号に依存して、メモリに蓄積されている合成的に発生させた振幅値を読み出し、前記データビットのエッジの前記検出した少なくとも一部分を、符号化されたデータビットに対して予め定められた帯域幅制限内にあるエッジを構成する合成的に発生させた振幅値と置き換えるよう構成したことを特徴とするディジタルデータエンコーダ。
【請求項５】
振幅値からなるエッジを、離散時間発振器により予め決定される瞬時、即ち離散時間発振器のオーバフローが発生する瞬時にのみ使用するよう構成したことを特徴とする請求項４記載のディジタルデータエンコーダ。
【請求項６】
正弦発振波の少なくとも一部分を構成する合成的に発生させた振幅値をメモリに蓄積したことを特徴とする請求項４又は５に記載のディジタルデータエンコーダ。
【請求項７】
データ信号全体をメモリに蓄積された合成的に発生させた振幅値と置き換えるよう構成したことを特徴とする請求項４〜６の何れかに記載のディジタルデータエンコーダ。
【請求項８】
離散時間発振器の出力信号により駆動されるアドレス発生器を設け、その出力信号に依存してメモリに蓄積されている振幅値をアドレスするよう構成したことを特徴とする請求項４〜７の何れかに記載のディジタルデータエンコーダ。
【請求項９】
データ信号に発生するエッジにおける離散時間発振器の各オーバフロー後に発生する剰余が、データ信号に発生するエッジを合成的に発生させた振幅値から形成する処理を開始すべきメモリ内の蓄積振幅値を決定するよう構成したことを特徴とする請求項４〜８の何れかに記載のディジタルデータエンコーダ。
【請求項１０】
離散時間発振器は、振幅値のオーバフローの発生ごとに、データソースからデータを呼び出す要求信号を発生するよう構成したことを特徴とする請求項４〜９の何れかに記載のディジタルデータエンコーダ。
【請求項１１】
離散時間発振器に供給する増分値は合成的に発生させた振幅値から形成されるエッジの勾配を設定するために可変であることを特徴とする請求項４〜１０の何れかに記載のディジタルデータエンコーダ。
【請求項１２】
離散時間発振器をディジタル画像信号の各画像ラインの開始時にリセットするよう構成したことを特徴とする請求項４〜１１の何れかに記載のディジタルデータエンコーダ。
【請求項１３】
エッジ及び振幅検出器を設け、その出力信号に依存して、アドレス発生器がメモリに蓄積されている、振幅値の信号変化に割り当てられたデータ信号のデータビットをアクセスするよう構成したことを特徴とする請求項４〜１２の何れかに記載のディジタルデータエンコーダ。
【請求項１４】
請求項４〜１３の何れかに記載のディジタルデータエンコーダを含むことを特徴とするディジタル画像信号をアナログ画像信号に変換するビデオエンコーダ。
【発明の詳細な説明】
【０００１】
【発明の属する技術分野】
本発明は、少なくとも１つのデータ信号の任意のデータレートのディジタルデータを符号化し、符号化したデータをディジタル画像信号と一緒に伝送するための符号化方法及びこのようなデータを符号化するディジタルデータエンコーダに関するものである。
【０００２】
【従来の技術】
種々の目的のために追加のデータがアナログテレビジョン信号と一緒に伝送されている。これらのデータは、例えばテレビジョン信号の所定の画像ラインにおいて伝送されるテレテキストデータとすることができる。最近では、例えばテレビジョン信号のフォーマット（４：３又は１６：９）を信号するデータビットが付加的に伝送されている。国際的には、種々のデータフォーマットがテレビジョン信号の所定の画像ラインにおいて種々のデータレート及び種々の帯域幅で伝送される。
【０００３】
画像信号内に通常存在しないこのようなデータを画像信号に挿入して、このようなデータを例えばディジタル画像信号をアナログ画像信号に変換するディジタルエンコーダに供給することが望まれることがある。このためには、データ信号のアナログ信号への変換後に、帯域幅制限、信号形状、クロック等に関連するアナログ領域の規則に適合させる必要がある。しかし、これらの規則は異なるタイプのデータごとに相違しうる。
【０００４】
この目的のために提供されている既知のデータエンコーダはこの問題に対処し得ず、種々のデータレート及び種々のフォーマットに切り換えることができない。従って、種々のデータフォーマットに対し個々のデータエンコーダを設ける必要がある。従って、ディジタル画像信号内に種々のデータフォーマットのデータ信号を挿入できる場合には多数のデータエンコーダを設ける必要がある。
【０００５】
【発明が解決しようとする課題】
本発明の目的は、種々のフォーマット、帯域幅及びクロックレートのデータをディジタル画像信号に挿入し得るデータ符号化方法及びデータエンコーダを提供することにある。
【０００６】
【課題を解決するための手段】
本発明は、この目的のために、頭書に記載したタイプのディジタルデータの符号化方法において、データの符号化において、データ信号のデータビットのエッジの少なくとも一部分を、符号化されたデータビットに対し予め定められた帯域幅制限内にあるエッジを構成する合成的に発生させた振幅値と置き換えるとことを特徴とする。
【０００７】
データをディジタル画像信号に挿入する前に、それらのエッジ又はデータビットのエッジを合成的に発生させた振幅値と置き換える。このように、データビットの原エッジの代わりに、新エッジを形成する振幅値を使用する。新エッジを形成する振幅値は予め定められたクロックラスタ及び帯域幅制限に適合するように実現する。
【０００８】
データフォーマット、データレート、データクロック及び予め定められた帯域幅制限に応じて、振幅値をこれらの条件に従うように実現することができる。
このようにして、種々の条件に従う種々のデータをディジタル画像信号に挿入することができる。これは予め定められた帯域幅制限及び挿入すべきデータへの個々の適応をもたらす。
【０００９】
本発明方法の一実施例では、データビットのエッジを正弦発振波の少なくとも一部分を構成する振幅値と置き換え、これらの振幅値からなるエッジを予定の一定のクロックラスタで挿入する。
【００１０】
原データビットのエッジの少なくとも一部分と置き換える挿入すべき新振幅値は、所定の立上り時間、従って所定の帯域幅制限に対し最適な正弦発振波を形成するものとするのが有利である。これらの新エッジを所望のクロックラスタで挿入するために、前記振幅値を予定の一定のクロックレートで、例えばメモリから読み出し、これらの振幅値をデータ信号内に、原データ信号の一部分、特にエッジの代わりとして挿入する。その結果として帯域幅制限並びに所定のクロックラスタに従う安全な挿入が得られる。
【００１１】
本発明の他の実施例では、データ信号全体を合成的に発生させた振幅値と置き換える。
データ信号全体、即ちデータ信号の全ビットを合成的に発生させた振幅値と置き換えることができる。これにより、エッジのみならずディジタル画像信号に挿入されるデータ信号全体も帯域幅制限に関する条件に従うのみならず、標準レベル等にも従うものとすることが達成される。
【００１２】
その結果として、原データ信号全体が、挿入すべき信号のエッジ及び場合により他の部分を構成する振幅値からなる新信号と置換される。
【００１３】
少なくとも１つのデータ信号の任意のデータレートのデータを符号化し、符号化したデータをディジタル画像信号と一緒に伝送するためのディジタルデータエンコーダにおいて、本発明は上述の目的を達成するために、離散時間発振器を設け、その出力信号に依存して、メモリに蓄積されている合成的に発生させた振幅値をアクセスし、データ信号のデータビットのエッジの少なくとも一部分を、符号化されたデータビットに対し予め定められた帯域幅制限内にあるエッジを構成する合成的に発生させた振幅値と置換するよう構成したことを特徴とする。
【００１４】
原データ信号のビット（又はデータ信号）が、予め合成的に発生させ、メモリに蓄積した振幅値と少なくとも部分的に置換される。原データビットのエッジの少なくとも一部分が振幅値と置換される。新振幅値が挿入データビットに対し予め定められた帯域幅制限内にあるエッジを構成するとともに、アナログ値への変換後のデータ信号に適用される他の規定を満たす。
【００１５】
ディジタルデータ信号に挿入される振幅値が離散時間発振器の出力信号に応じて読み出される。このような離散時間発振器は、各システムクロックごとに、増分データを先に形成した和に加算する。従って、各システムクロックごとに、離散時間発振器の出力端子に出力信号として得られる和はその入力端子に供給される増分値づつ増大（又は減少）する。離散時間発振器の出力値の変化はシステムクロック及びその入力端子に供給される増分値に依存する。これにより、このような離散時間発振器の出力端子に、時間離散発振器をクロックするシステムクロックと整数比でないクロックを予め決定するデータ値を有する信号を得ることができる。離散時間発振器のこの特性は本発明のディジタルデータエンコーダに特に有利である。その理由は、振幅値の形成をクロックするクロックラスタがシステムクロックと無関係になり、クロックラスタをシステムクロックと整数比にする必要がなくなるためである。
【００１６】
離散時間発振器の入力端子に供給する増分値を変化させることにより、離散時間発振器の出力信号の値からなるこのクロックラスタを個々の要件に適合させることができる。例えば、増分値を異なるデータ信号の異なるデータの異なる帯域幅制限ごとに変化させて、本発明のディジタルデータエンコーダが、異なるデータ信号の異なるデータを新たに符号化されたデータ信号としてそれぞれ異なる形状のエッジ又は異なる勾配のエッジで出力端子に供給しうるようにすることができる。
【００１７】
上述したように、離散時間発振器は、システムクロックごとに、これに供給される増分値を先に形成した和に加算するので、その値は一定に増加するため、ワード長に依存して所定の瞬時にオーバフローが生ずる。このオーバフローは、蓄積振幅値を挿入することにより立上り又は立下りエッジを所望のクロックラスタでデータ信号に導入する瞬時をオーバフロー残余により決まる小さな偏差でマークする。離散時間発振器に供給される増分値の大きさは離散時間発振器の値のオーバフローが発生する時間間隔を決定する。増分値の大きさは各システムクロックごとの離散時間発振器の出力値の変化量にも影響を与える。従って、増分値はメモリからどの振幅値を読み出すか、従ってデータ信号に使用するエッジ上の現在点も決定する。
【００１８】
これは種々のクロックラスタで存在するデータ信号の種々の要件及び符号化されたデータ信号に対し予め定められた帯域幅制限への最適な適応をもたらす。これらのすべての要件をすべてのデータフォーマットに好適な比較的簡単なディジタルデータエンコーダにより実現することができる。変更された要件又は追加の要件へのデータエンコーダの適応化も容易に実現することができ、このためには離散時間発振器の増分値をこれに応じて調整する必要があるだけである。
【００１９】
本発明のこのデータエンコーダの他の実施例では、振幅値からなるエッジを、離散時間発振器により予め決定される瞬時、好ましくは離散時間発振器のオーバフローが発生する瞬時にのみ使用するよう構成する。
【００２０】
離散時間発振器の出力は各システムクロックごとに変化し、直線的に上昇（又は下降）するエッジを表す出力信号を供給する。このエッジに依存して、振幅値がメモリから読み出され、エッジの形成に使用される。
【００２１】
これらのエッジは所定のクロックラスタで発生させる必要がある。この目的のために離散時間発振器のオーバフローを使用することができる。このオーバフローはシステムクロックとこの発振器の入力端子に供給される増分値とに依存して予定の時間間隔で発生する。これらの値は、オーバフローが所望のクロックラスタと同期するように選択することができる。これらの値を選択することにより、新しく発生されるエッジをクロックラスタで発生させることができる。
【００２２】
本発明エンコーダの他の実施例では、正弦発振波の少なくとも一部分を構成する合成的に発生させた振幅値をメモリに蓄積する。メモリに蓄積された振幅値は、データビットの原エッジの代わりに、符号化されたデータ信号として供給される正弦発振波を形成するものとするするのが好ましい。
【００２３】
しかし、本発明の他の有利な実施例では、データ信号全体をメモリに蓄積された合成的に発生させた振幅値と置換するよう構成する。これにより、すべての要件、例えば振幅要件に関してデータ信号を公称値に対応させることができる。
【００２４】
本発明データエンコーダの他の実施例では、離散時間発振器の出力信号により駆動されるアドレス発生器を設け、その出力信号に依存してメモリに蓄積されている振幅値をアドレスするよう構成する。
【００２５】
上述したように、離散時間発振器の出力信号の値は上昇又は下降するエッジを示す。これらの値を用いてアドレス発生器を駆動し、次いでこのアドレス発生器によりメモリを駆動し、メモリから所要の振幅値の読み出しを開始させることができる。離散時間発振器の出力信号に応じて、新しいエッジを形成する振幅値がメモリから読み出される。
【００２６】
本発明の他の実施例では、データ信号に発生するエッジにおける離散時間発振器の各オーバフロー後に発生する剰余が、データ信号に発生するエッジを合成的に発生させた振幅値から形成する処理を開始すべきメモリ内の蓄積振幅値を決定するよう構成する。
【００２７】
上述したように、離散時間発振器は、システムクロックとその入力端子に供給される増分値とに依存して、その出力信号が所望のクロックラスタに対応する瞬時にオーバフローが発生するまで連続的に変化するように実現するのが有利である。しかし、オーバフロー後に、離散時間発振器に”剰余”が発生し、剰余は種々の値を有する。この剰余は、オーバフロー瞬時が所望のクロックラスタからどの程度偏差するかを示す。この場合には、小さな偏差が該当し、この偏差は、この離散時間発振器出力信号のオーバフロー後に発生するこの剰余を用いて挿入すべきエッジの発生時に開始するエッジ部分を決定することによりディジタルエンコーダにおいて付加的に考慮することができる。オーバフローはクロックラスタと正確に一致して発生せず、ずれた瞬時に発生し、その値はオーバフロー値で示される事実を考慮する。
【００２８】
従って、新エッジは必ずしもエッジのために通常与えられる最初の振幅値から形成されるとはかぎらない。エッジはもっと前又は後の振幅値から開始することもある。エッジがもっと後の振幅から開始する場合には、その前の振幅値は省略される。その結果として、常にエッジの５０％値を所定のクロック瞬時に発生させることができる。
【００２９】
本発明データエンコーダの他の実施例では、離散時間発振器が、振幅値のオーバフローの発生ごとに、データソースからデータを呼び出す要求信号を発生するように構成する。
【００３０】
前述したように、離散時間発振器又はこれに供給される増分値は、新エッジがデータ信号に応じて所定のクロックラスタに従って発生するように実現することができる。原データ信号のデータビットをこれらの瞬時に得るために、離散時間発振器は、その値がオーバフローする瞬時に新データを要求する要求信号を発生するように実現するのが有利である。このようにすると、エッジを形成すべき新データがクロックラスタに対応する瞬時に得られる。
【００３１】
本発明の他の実施例では、離散時間発振器に供給する増分値は合成的に発生させた振幅値から形成されるエッジの勾配を設定するために可変とする。
【００３２】
本発明データエンコーダの本質的な利点は、符号化された信号の種々のデータレート又は予め定められた帯域幅制限に容易に調整することができる点にある。これは、離散時間発振器に供給する増分値を変化させることにより簡単に実現することができる。増分値の大きさを変化させることにより、振幅値をメモリから読み出すクロックラスタを決定することができる。その結果として、形成されるエッジの勾配の変化が実現される。
【００３３】
本発明の他の実施例では、離散時間発振器をディジタル画像信号の各画像ラインの開始時にリセットするよう構成する。
【００３４】
離散時間発振器のオーバフロー瞬時と所定のクロックラスタとの間の起こりうる僅かな偏差を最小にするために、離散時間発振器はディジタル画像信号の各画像ラインの開始時に初期値にリセットするのが有利である。このようにすると、各画像ラインの開始時に対するこのクロックラスタの起こりうる僅かな不一致がリセットされ、従って大きな影響を与える値にならない。
【００３５】
本発明ディジタルエンコーダの他の実施例では、エッジ及び振幅検出器を設け、その出力信号に依存して、アドレス発生器がメモリに蓄積されている、振幅値の信号変化に割り当てられたデータ信号のデータビットをアクセスするよう構成する。
【００３６】
前述したように、エッジの少なくとも一部分、極端な場合にはデータ信号全体を符号化された信号を表す振幅値からなる新しい信号と置換する。離散時間発振器の出力信号に依存してメモリから読み出されるこれらの振幅値を決定するために、エッジ及び振幅検出器を設け、これにより符号化すべき原データ信号に立上りエッジがあるのか、立下りエッジがあるのか、値”０”があるのか、値”１”があるのかを決定し、これを新しい振幅値と置換し、符号化することができる。
【００３７】
【発明の実施の形態】
図１は本発明のディジタルデータエンコーダのブロック図であり、その入力端子に種々のデータ信号のデータを受信する。これらのデータは図１に DaTa-INにより示されている。種々のデータ信号のこれらのデータは一般にそれぞれ異なるクロックレートを有する。従って、それぞれ異なる帯域幅制限が符号化すべきデータに課される。
【００３８】
データエンコーダをこのような種々の要件に適応させるために、データエンコーダを種々のデータレート又は種々の所定の帯域幅制限に適応させるデータタイプレジスタ１を設ける。
【００３９】
入力データ"DaTa-IN" は、例えば種々のデータフォーマットのビデオテキストデータ（テレテキストデータ）、画像信号のアスペクト比を信号するワイドスクリーンシグナリングデータ、又はテレテキストデータに類似するクローズドキャプションデータとすることができる。
これらの外部から供給されるデータは図示のデータエンコーダ内の第１マルチプレクサ３の第１入力端子２に供給される。
【００４０】
この装置内には、これらのデータの既知の所定のフォーマットを有する部分、例えばワイドスクリーンシグナリングデータを記憶するデータメモリ４を設けることができる。この場合には、このデータメモリ４がデータタイプレジスタ１によりトリガされ、このデータがデータメモリ４から読み出され、このデータを外部データとして供給する必要はない。
【００４１】
外部データが存在するとき、又はデータメモリ４からのデータを符号化する必要があるとき、これに応答してデータタイプレジスタ１がマルチプレクサ３を駆動し、外部データを搬送するその第１入力端子２又はデータメモリ４から読み出されたデータが供給されれるその第２入力端子５をその出力端子に接続する。このとき、符号化すべきデータがマルチプレクサ３の出力端子に存在する。
【００４２】
これらのデータを第２マルチプレクサ７の第１入力端子６に供給する。更に、エンコーダ８を設け、これにも第１マルチプレクサ３の出力データを受信させ、できればこのデータを記録する。例えば、データ信号のもとの値”１”を低−高エッジに変換することがでる。同様に、データ値”０”を高−低エッジに変換する。このエンコーダの出力値を第２マルチプレクサ７の第２入力端子９に供給する。第２マルチプレクサ７もデータタイプレジスタ１により駆動される。
【００４３】
第２マルチプレクサ７の後にエッジ及び振幅検出器１０を配置し、これに供給されるデータ信号が低に対応する値”０”を有するのか、高に対応する値”１”を有するのか、又は正方向エッジを有するのか、負方向エッジを有するのか検出する。これを信号する出力信号をアドレス発生器１３の第２入力端子１２に供給する。
【００４４】
図示のデータエンコーダは離散時間発振器１４を含む。このような離散時間発振器はその入力端子に供給される増分値をシステムクロックごとに先に形成された和に加算する。新しいシステムクロックごとに、その和が入力端子に供給される増分値だけ増加する。このプロセスが、最大値に到達して値のオーバフローが離散時間発振器に発生するまで繰り返される。このオーバフロー時に、剰余値が離散時間発振器に維持され、この値も出力信号として供給される。従って離散時間発振器の出力値はカウント中に各システムクロックごとに増分値づつ変化する出力値を構成し、この出力値はオーバフローが発生するまでシステムクロックごとに連続的に変化する。オーバフロー後に、オーバフロー剰余から出発してシステムクロックごとの増分値の加算が引き続き行われる。その結果として、離散時間発振器の出力信号の値は一種ののこぎり波信号を構成し、この信号はオーバフローごとに最大値から最小値に極めて近いオーバフロー値へ変化し、これらの値の間で上昇するエッジを構成する。
【００４５】
増分値レジスタ１５が離間時間発振器１４の入力端子に増分値を供給する。各システムクロック（図示せず）ごとに、離散時間発振器１４は増分値を先に形成したワードに加算する。
増分値レジスタ１５により供給される増分値は可変であり、データタイプレジスタ１によりセットされる。このとき、増分値を符号化すべきデータ信号のクロックラスタに適合させることができる。
【００４６】
離散時間発振器１４の第１出力端子１６は上述したような一種ののこぎり波信号を構成する出力信号を供給する。この信号をアドレス発生器１３の第１入力端子１７に供給する。
【００４７】
離散時間発振器１４はオーバフローの発生時に第２出力端子１８から信号を供給する。この信号は外部回路装置（図示せず）に、新データビットを符号化のために供給すべきことを信号する。この信号は図にDat-Req(データ要求) により示されている。更に、この信号はエッジ及び振幅検出器１０にも供給され、この検出器が、この信号の発生瞬時に、符号化すべきデータ信号の形成をアドレス発生器１３に信号する。
【００４８】
離散時間発振器１４の第１出力端子１６に得られる出力信号の値は離散時間発振器１４に発生する２つのオーバフロー間で上述したように上昇エッジ（又は下降エッジ）を形成するように変化する。その振幅値は信号クロックごとに増分値レジスタ１５により供給される増分値だけ変化する。この出力信号がアドレス発生器１３によりアドレスに変換され、このアドレスがメモリ２０に供給される。信号エッジの少なくとも一部分を形成する振幅値がメモリ２０に蓄積されている。これらの振幅値は正弦振動波の少なくとも一部分を形成する振幅値とするのが好ましい。エッジ及び振幅検出器１０が、出力信号が上昇エッジなのか下降エッジなのかを信号する。データエンコーダは、入力端子に供給される符号化すべきデータ信号全体を新しい振幅値と置き換えるように実現することもできる。この場合には、低値又は高値もメモリ２０からの新しい振幅値と置き換えられる。
【００４９】
メモリ２０の後に、符号化すべきデータ信号の種々のレベル要件に適合させることができる可変利得増幅器１９を配置する。この可変利得はデータタイプレジスタ１によりデータ信号のタイプに依存して調整される。
【００５０】
増幅器１９の出力端子から符号化データ信号が供給され、この信号はData-OUTにより示されている。この信号は入力端子に供給されたデータ信号又はデータメモリ４から読み出されたデータ信号に依存して形成されたものであるが実際にはメモリ２０から読み出された振幅値からなるデータ信号を表す。このデータ信号は所望の如く形成することができる。
【００５１】
Data-IN として供給される入力データ又はデータメモリ４から読み出されるデータのタイプに応じて、データタイプレジスタがセットされる。このレジスタが次いでこのデータタイプを増分レジスタ１５に信号し、このレジスタがデータタイプ又はデータクロックラスタに指定された対応する増分値をセットする。離散時間発振器１４がこの増分値で動作する。増分値の大きさに依存して、離散時間発振器の出力値も増分値に従って階段状に変化する。この信号に依存して、アドレス発生器１３によりメモリ２０から新しい振幅値が読み出される。このとき、メモリ２０に蓄積された例えば正弦波信号のエッジが読み出されるレートを増分値により調整することができる。その結果として、このエッジをもっと高速に又は低速に読み出された振幅値で形成することが達成される。この低速又は高速読み出しによりエッジを低勾配又は高勾配の形に発生させることが達成される。
【００５２】
増分値の大きさは、離散時間発振器の値のオーバフローが発生する瞬時も決定する。これらのオーバフロー瞬時はエッジをメモリから振幅値を読み出してデータ信号に挿入する瞬時を示すため、増分値は符号化データ信号のクロックラスタ、即ち符号化データ信号内にエッジが発生する時間間隔も決定する。
【００５３】
【発明の効果】
従って、本発明のデータエンコーダは離散時間発振器に供給する増分値を変化させることにより種々のデータレートに適応させることができる。更に、増分値を調整することにより発生するエンコーダの勾配を変化させることもできる。
【００５４】
種々のデータ従ってへの適応化を、データタイプレジスタ１の切り換えだけで達成できる。更に、新しいデータフォーマットへの適応化も簡単にできる。これは、このためにはデータタイプレジスタ１及び増分レジスタ１５に蓄積されたデータのみを調整する必要があるだけであるからである。これはデータエンコーダの極めてフレキシブルな使用を可能にする。
【図面の簡単な説明】
【図１】本発明ディジタルデータエンコーダのブロック図である。
【符号の説明】
１  データタイプレジスタ
３  第１マルチプレクサ
４  データメモリ
７  第２マルチプレクサ
８  エンコーダ
１０  エッジ及び振幅検出器
１３  アドレス発生器
１４  離散時間発振器
１５  増分レジスタ
１９  増幅器
２０  メモリ
【図１】
0004271746.tif 000002